【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
第１の光電変換素子と、
前記第１の光電変換素子とともに単位画素を構成する第２の光電変換素子と、
前記第１の光電変換素子とは異なる単位画素を構成する第３の光電変換素子と、
入射する光を前記第１の光電変換素子及び前記第３の光電変換素子に集光する第１のレンズと、
入射する光を前記第２の光電変換素子に集光する第２のレンズと、を有し、
前記第１の光電変換素子と前記第２の光電変換素子は、フローティングディフュージョン領域を共有しており、
前記第１の光電変換素子により生成される第１の出力信号と前記第２の光電変換素子により生成される第２の出力信号とを加算した加算信号を出力し、かつ、前記第１の出力信号又は前記第２の出力信号を単独で出力する
ことを特徴とする撮像装置。
【請求項２】
前記第１のレンズを介して前記第１の光電変換素子に入射する光の光路上に配置された第１のフィルタと、
前記第１のレンズを介して前記第３の光電変換素子に入射する光の光路上に配置され、前記第１のフィルタとは光の透過特性が異なる第３のフィルタと
を更に有することを特徴とする請求項１記載の撮像装置。
【請求項３】
前記第２のレンズを介して前記第２の光電変換素子に入射する光の光路上に配置され、前記第１のフィルタと光の透過特性が等しい第２のフィルタを更に有する
ことを特徴とする請求項２記載の撮像装置。
【請求項４】
前記第１のレンズ及び前記第２のレンズを含む複数のレンズが２次元アレイを構成するように行方向及び列方向に並んで配置されており、前記第１のレンズと前記第２のレンズとは、前記２次元アレイの同じ列の異なる行に配置されている
ことを特徴とする請求項１乃至３のいずれか１項に記載の撮像装置。
【請求項５】
前記第１のレンズ及び前記第２のレンズを含む複数のレンズが２次元アレイを構成するように行方向及び列方向に並んで配置されており、前記第１のレンズと前記第２のレンズとは、画素アレイの異なる列の異なる行に配置されている
ことを特徴とする請求項１乃至３のいずれか１項に記載の撮像装置。
【請求項６】
前記第１の光電変換素子の形状と前記第２の光電変換素子の形状は、瞳分割の方向にミラー対称になっている
ことを特徴とする請求項１乃至５のいずれか１項に記載の撮像装置。
【請求項７】
前記第１の出力信号及び前記第２の出力信号の和に基づき撮像信号を生成し、前記第１の出力信号と前記第２の出力信号との間の位相差に基づき焦点検出信号を生成する
ことを特徴とする請求項１乃至６のいずれか１項に記載の撮像装置。
【請求項８】
前記第１の光電変換素子から前記第１の出力信号を読み出し、前記第１の光電変換素子及び前記第２の光電変換素子から第３の出力信号を読み出し、前記第１の出力信号及び前記第３の出力信号から前記第２の出力信号を算出する
ことを特徴とする請求項１乃至７のいずれか１項に記載の撮像装置。
【請求項９】
それぞれが複数の光電変換素子を含む複数の単位画素と、前記光電変換素子に入射する光を集光する複数のレンズとを有する撮像装置であって、
前記複数のレンズのうちの第１のレンズは、前記複数の単位画素のうちの第１の単位画素に含まれる第１の光電変換素子と、前記複数の単位画素のうちの第２の単位画素に含まれる第２の光電変換素子とに、入射する光を集光するように構成され、
前記複数のレンズのうちの第２のレンズは、前記第１の単位画素に含まれる第３の光電変換素子に入射する光を集光するように構成されており、
前記第１の光電変換素子と前記第３の光電変換素子は、フローティングディフュージョン領域を共有しており、
前記第１の光電変換素子により生成される第１の出力信号と前記第３の光電変換素子により生成される第２の出力信号とに基づいて撮像信号及び焦点検出信号を生成する
ことを特徴とする撮像装置。
【請求項１０】
請求項１乃至９のいずれか１項に記載の撮像装置と、
前記撮像装置へ被写体の像を結像する光学系と
を含むことを特徴とする撮像システム。
【手続補正２】
【補正対象書類名】明細書
【補正対象項目名】０００７
【補正方法】変更
【補正の内容】
【０００７】
本発明の一観点によれば、第１の光電変換素子と、前記第１の光電変換素子とともに単位画素を構成する第２の光電変換素子と、前記第１の光電変換素子とは異なる単位画素を構成する第３の光電変換素子と、入射する光を前記第１の光電変換素子及び前記第３の光電変換素子に集光する第１のレンズと、入射する光を前記第２の光電変換素子に集光する第２のレンズと、を有し、前記第１の光電変換素子と前記第２の光電変換素子は、フローティングディフュージョン領域を共有しており、前記第１の光電変換素子により生成される第１の出力信号と前記第２の光電変換素子により生成される第２の出力信号とを加算した加算信号を出力し、かつ、前記第１の出力信号又は前記第２の出力信号を単独で出力する撮像装置が提供される。
【手続補正３】
【補正対象書類名】明細書
【補正対象項目名】０００８
【補正方法】変更
【補正の内容】
【０００８】
また、実施形態の他の観点によれば、それぞれが複数の光電変換素子を含む複数の単位画素と、前記光電変換素子に入射する光を集光する複数のレンズとを有する撮像装置であって、前記複数のレンズのうちの第１のレンズは、前記複数の単位画素のうちの第１の単位画素に含まれる第１の光電変換素子と、前記複数の単位画素のうちの第２の単位画素に含まれる第２の光電変換素子とに、入射する光を集光するように構成され、前記複数のレンズのうちの第２のレンズは、前記第１の単位画素に含まれる第３の光電変換素子に入射する光を集光するように構成されており、前記第１の光電変換素子と前記第３の光電変換素子は、フローティングディフュージョン領域を共有しており、前記第１の光電変換素子により生成される第１の出力信号と前記第３の光電変換素子により生成される第２の出力信号とに基づいて撮像信号及び焦点検出信号を生成する撮像装置が提供される。
【手続補正４】
【補正対象書類名】明細書
【補正対象項目名】００２８
【補正方法】変更
【補正の内容】
【００２８】
画素アレイの各列には、列方向に延在して、垂直出力線Ｖｏｕｔ、電源電圧線５６が、それぞれ配置されている。垂直出力線Ｖｏｕｔは、列方向に並ぶ単位領域２０の選択ＭＯＳトランジスタ５４のドレイン端子にそれぞれ接続されている。電源電圧線５６は、列方向に並ぶ単位領域２０のリセットＭＯＳトランジスタ５２のドレイン端子及びソースフォロア入力ＭＯＳトランジスタのドレイン端子にそれぞれ接続されている。図２では、垂直出力線Ｖｏｕｔの名称に、列番号Ｎに対応した番号をそれぞれ付記している（Ｖｏｕｔ（Ｎ），Ｖｏｕｔ（Ｎ＋１））。
【手続補正５】
【補正対象書類名】明細書
【補正対象項目名】００５７
【補正方法】変更
【補正の内容】
【００５７】
画素アレイの各列には、列方向に延在して、２本の垂直出力線Ｖｏｕｔ１，Ｖｏｕｔ２がそれぞれ配置されている。垂直出力線Ｖｏｕｔ１は、列方向に並ぶ単位画素１０の選択ＭＯＳトランジスタ５４のドレイン端子にそれぞれ接続されている。垂直出力線Ｖｏｕｔ１は、列方向に並ぶ単位画素１０の選択ＭＯＳトランジスタ６４のドレイン端子にそれぞれ接続されている。図４では、垂直出力線Ｖｏｕｔ１，Ｖｏｕｔ２の名称に、列番号Ｎに対応した番号をそれぞれ付記している（例えば、Ｖｏｕｔ１（Ｎ），Ｖｏｕｔ１（Ｎ＋１））。
【手続補正６】
【補正対象書類名】明細書
【補正対象項目名】００５９
【補正方法】変更
【補正の内容】
【００５９】
初期状態において、ＴＸＡ信号，ＴＸＢ信号，ＳＥＬ信号は、ローレベルとされている。ＲＥＳ信号がローレベルからハイレベルへ遷移すると、リセットＭＯＳトランジスタ５２，６２がオン状態となり、ＦＤ領域５８，６８はリセットＭＯＳトランジスタ５２，６２を介して電源電圧線５６に接続される。すなわち、ＦＤ領域５８，６８のリセットが行われる。
【手続補正７】
【補正対象書類名】明細書
【補正対象項目名】００８４
【補正方法】変更
【補正の内容】
【００８４】
レンズ等の光学系である光学部８１０は、被写体からの光を撮像装置１００の、複数の単位画素１０が２次元状に配列された画素部に結像させ、被写体の像を形成する。撮像装置１００は、タイミング制御部８５０からの信号に基づくタイミングで、画素部に結像された光に応じた信号を出力する。撮像装置１００から出力された信号は、映像信号処理部である映像信号処理部８３０に入力され、映像信号処理部８３０が、プログラム等によって定められた方法に従って信号処理を行う。映像信号処理部８３０での処理によって得られた信号は画像データとして記録・通信部８４０に送られる。記録・通信部８４０は、画像を形成するための信号を再生・表示部８７０に送り、再生・表示部８７０に動画や静止画像を再生・表示させる。記録・通信部８４０は、また、映像信号処理部８３０からの信号を受けて、システム制御部８６０と通信を行うほか、不図示の記録媒体に、画像を形成するための信号を記録する動作も行う。